(57)【要約】【課題】コレクションケース何ら施錠装置を設ける必要がなく、外部からのケース内への視界を良好にし、且つケース内のコレクションの出し入れが容易にできること。【解決手段】上枠５と、下枠１０と、上下枠５，１０間の前後左右の支柱１１，１２、１３，１４と、前側左右支柱１１，１２間に取り付けられる前面板１５と、前側左右支柱１１，１２と後側左右支柱１３，１４との間に取り付けられる左右側面板１６，１７と、後側左右支柱１３，１４間に取り付けられる後面板１８と、上枠５に取り付けられる天蓋１９と、内部に多段状に取り付けられる棚板２０と、を備えてなる。【選択図】図２
2005110855.tif 000002
【特許請求の範囲】
【請求項１】
前側枠片１と左右側枠片２，３と後側枠片４とからなる上枠５と、同じく前側枠片６と左右側枠片７，８と後側枠片９とからなる下枠１０と、上下枠５，１０間の前後左右のコーナー部に取り付けられた前側左右支柱１１，１２および後側左右支柱１３，１４と、前側左右支柱１１，１２間に取り付けられる前面板１５と、前側左右支柱１１，１２と後側左右支柱１３，１４との間に取り付けられる左右側面板１６，１７と、後側左右支柱１３，１４間に取り付けられる後面板１８と、上枠５に取り付けられる天蓋１９と、内部に多段状に取り付けられる棚板２０と、を備え、少なくとも前側左右支柱１１，１２の互いの左右対向面に上下に貫通する挿通溝２１ａ，２１ｂを設けて、この左右挿通溝２１ａ，２１ｂ間に前面板１５を上下にスライド可能に挿通支持せしめ、前記天蓋１９は上枠５に落とし込み状に着脱可能に取り付けられ、該天蓋１９に遮られて前記前面板１５は上方にスライド出来ないようになっているコレクションケース。
【請求項２】
上枠５の前側枠片１と左右側枠片２，３と後側枠片４とは、それぞれ起立壁２２ａと水平壁２２ｂとからなる断面略Ｌ字状に形成され、天蓋１９は各枠片１〜４の起立壁２２ａに囲繞され、且つ水平壁２２ｂ上に載置されるようにして上枠５に着脱可能に取り付けられてなる請求項１に記載のコレクションケース。
【請求項３】
上枠５の前記水平壁２２に上下に貫通し、ピンを下から挿通することが可能な貫通孔２３が設けられてなる請求項２に記載のコレクションケース。
【請求項４】
上枠５および下枠１０と前後左右の支柱１１〜１４とはビス２４によって取り外し可能にねじ止めされてなる請求項１〜３の何れかに記載のコレクションケース。
【請求項５】
前側左右支柱１１，１２と後側左右支柱１３，１４との互いの対向面および後側左右支柱１３，１４の互いの左右対向面にそれぞれ上下に貫通する挿通溝２１ｃ〜２１ｈを設けて、これらのそれぞれ対向する挿通溝２１ｃ〜２１ｈ間に左右側面板１６，１７および後面板１８を上下にスライド可能に挿通支持せしめ、これらの面板１６〜１８は前記天蓋１９に遮られて上方にスライド出来ないようになっている請求項１〜４の何れかに記載のコレクションケース。
【請求項６】
前記前面板１５および左右側面板１６，１７はアクリル樹脂等の透明合成樹脂によって形成されてなる請求項１〜５に記載のコレクションケース。
【請求項７】
前記後面板１８は、その内面側が鏡面１８ａをなす鏡面板から形成されてなる請求項１〜６に記載のコレクションケース。
【請求項８】
上枠５を形成する前側枠片１と左右側枠片２，３と後側枠片４の互いの対向するコーナー部、および下枠１０を形成する前側枠片６と左右側枠片７，８と後側枠片９の互いに対向するコーナー部は、それぞれ溶接またはロー付けによって一体に接合されてなる請求項１〜７の何れかに記載のコレクションケース。
【請求項９】
下枠１０と前後左右の支柱１１〜１４とがビス２４によって取り外し可能にねじ止めされる際に、各支柱１１〜１４の下端部に切り込み２５を入れ、この切り込み２５に下枠１０のに形成した係合鍔２７ａが係合されるようになっている請求項１〜８の何れかに記載のコレクションケース。
【発明の詳細な説明】
【技術分野】
【０００１】
本発明は、主に、フィギア、モデルカー、食玩あるいはプラモデル等のコレクター（マニア）が蒐集した愛蔵品を陳列するコレクションケースに関するものである。
【背景技術】
【０００２】
コレクターは、蒐集した愛蔵品（コレクション）をなるべくなら、他人の手に触れさせたくないと言う願望があり、コレクションケースに施錠する場合が少なくない。
従来のこの種のコレクションケースは、人形ケースや営業用の陳列棚ケースを小型化したものが用いられており、コレクションの出し入れは容易であるが、コレクションケースと錠前が釣合いが取れず、コレクターの満足を得たコレクションケースは提案されていない。
【０００３】
例えば、従来のコレクションケースは、内部の陳列品の出し入れを容易にするために、一般には、前面ガラスは一対の前後ガラスの引き違い式になっており、これがために前後ガラスの重なり部分が視界を遮るうえ、前後ガラスを案内するレール部分や、前後ガラスの重なり部分（召し合わせ部）にホコリが溜まったり侵入する原因となっている。
このホコリ侵入防止対策として召し合わせ部にホコリ侵入を防止する部材を用いたコレクションケースも市販されているが、その分、視界を遮るとともに材料費が増加高価になっている。
【発明の開示】
【発明が解決しようとする課題】
【０００４】
本発明は、上記従来の難点を解消し、コレクションケースの前面ガラス側に何ら施錠装置を設ける必要がなく、従ってこれによる視界の遮断を防止し、また前面ガラスを引き違い式にすることによる前記難点を解消し、尚且つケース内のコレクションの出し入れが容易にできるコレクションケースを提案することを目的とするものである。
【課題を解決するための手段】
【０００５】
上記の目的を達成するために、請求項１にあっては、前側枠片１と左右側枠片２，３と後側枠片４とからなる上枠５と、同じく前側枠片６と左右側枠片７，８と後側枠片９とからなる下枠１０と、上下枠５，１０間の前後左右のコーナー部に取り付けられた前側左右支柱１１，１２および後側左右支柱１３，１４と、前側左右支柱１１，１２間に取り付けられる前面板１５と、前側左右支柱１１，１２と後側左右支柱１３，１４との間に取り付けられる左右側面板１６，１７と、後側左右支柱１３，１４間に取り付けられる後面板１８と、上枠５に取り付けられる天蓋１９と、内部に多段状に取り付けられる棚板２０と、を備え、少なくとも前側左右支柱１１，１２の互いの左右対向面に上下に貫通する挿通溝２１ａ，２１ｂを設けて、この左右挿通溝２１ａ，２１ｂ間に前面板１５を上下にスライド可能に挿通支持せしめ、前記天蓋１９は上枠５に落とし込み状に着脱可能に取り付けられ、該天蓋１９に遮られて前記前面板１５は上方にスライド出来ないようになっていることを特徴とするものである。
【０００６】
また、請求項２にあっては、上枠５の前側枠片１と左右側枠片２，３と後側枠片４とは、それぞれ起立壁２２ａと水平壁２２ｂとからなる断面略Ｌ字状に形成され、天蓋１９は各枠片１〜４の起立壁２２ａに囲繞され、且つ水平壁２２ｂ上に載置されるようにして上枠５に着脱可能に取り付けられてなる請求項１に記載の構成からなるものである。
【０００７】
また、請求項３にあっては、上枠５の前記水平壁２２に上下に貫通し、ピンを下から挿通することが可能な貫通孔２３が設けられてなる請求項２に記載の構成からなるものである。
【０００８】
また、請求項４にあっては、上枠５および下枠１０と前後左右の支柱１１〜１４とはビス２４によって取り外し可能にねじ止めされてなる請求項１〜３の何れかに記載の構成からなるものである。
【０００９】
また、請求項５にあっては、前側左右支柱１１，１２と後側左右支柱１３，１４との互いの対向面および後側左右支柱１３，１４の互いの左右対向面にそれぞれ上下に貫通する挿通溝２１ｃ〜２１ｈを設けて、これらのそれぞれ対向する挿通溝２１ｃ〜２１ｈ間に左右側面板１６，１７および後面板１８を上下にスライド可能に挿通支持せしめ、これらの面板１６〜１８は前記天蓋１９に遮られて上方にスライド出来ないようになっている請求項１〜４の何れかに記載の構成からなるもである。
【００１０】
また、請求項６にあっては、前記前面板１５および左右側面板１６，１７はアクリル樹脂等の透明合成樹脂によって形成されてなる請求項１〜５に記載の構成からなるものである。
【００１１】
また、請求項７にあっては、前記後面板１８は、その内面側が鏡面１８ａをなす鏡面板から形成されてなる請求項１〜６に記載の構成からなるものである。
【００１２】
また、請求項８にあっては、上枠５を形成する前側枠片１と左右側枠片２，３と後側枠片４の互いの対向するコーナー部、および下枠１０を形成する前側枠片６と左右側枠片７，８と後側枠片９の互いに対向するコーナー部は、それぞれ溶接またはロー付けによって一体に接合されてなる請求項１〜７の何れかに記載の構成からなるものである。
【００１３】
また、請求項９にあっては、下枠１０と前後左右の支柱１１〜１４とがビス２４によって取り外し可能にねじ止めされる際に、各支柱１１〜１４の下端部に切り込み２５を入れ、この切り込み２５に下枠１０に形成した係合鍔２７ａが係合されるようになっている請求項１〜８の何れかに記載の構成からなるものである。
【発明の効果】
【００１４】
本発明によれば、コレクションケースの前面ガラス側に何ら施錠装置を設ける必要がないため体裁がよく、また、これによる視界の遮断を防止し、また前面ガラスを引き違い式にすることによる視界の遮断と、ホコリのケース内への侵入を防止し、さらに陳列時におけるコレクションケース内のコレクションの外部への取り出しが確実に防止することができるにもかかわらず、コレクションケース内のコレクションを容易に出し入れすることができる。
【発明を実施するための最良の形態】
【００１５】
図１〜図３は、本発明の一実施の形態であるコレクションケースの全体を示し、前側枠片１と左右側枠片２，３と後側枠片４とからなる上枠５と、同じく前側枠片６と左右側枠片７，８と後側枠片９とからなる下枠１０と、上下枠５，１０間の前後左右のコーナー部に取り付けられた前側左右支柱１１，１２および後側左右支柱１３，１４とを設け、これらの部材は全て軽量で強度のあるアルミニウムまたはアルミニウム合金による型材によって形成される。
【００１６】
そして、図１、特に図２および図４に示すように、上枠５を形成する前側枠片１と左右側枠片２，３と後側枠片４とは、それぞれ起立壁２２ａと水平壁２２ｂとからなる断面略Ｌ字状に形成され、且つこれら枠材２〜４の互いのコーナー部は、それぞれアルミ溶接またはアルミロー付けによって一体に接合され、これによって形成される上枠５の強度を上げるようになっている。また、それぞれのコーナー部にはビス挿通孔２６ａ〜２６ｄが貫設され、そのうち左右側枠片２，３の中央部には上下に貫通する貫通孔２３が貫設されている。
【００１７】
また、同じく、図１、特に図２および図５に示すように、下枠１０を形成する前側枠片６と左右側枠片７，８と後側枠片９とは、それぞれ略Ｌ字状の係合鍔２７ａと水平壁２７ｂとからなる断面略コ字状に形成され、且つこれら枠材６〜９の互いのコーナー部は、それぞれアルミ溶接またはアルミロー付けによって一体に接合され、これによって形成される下枠１０の強度を上げるようになっている。また、それぞれのコーナー部にはビス挿通孔２８が貫設され、且つ後述の面板の落とし込み用の凹部２９が形成されている。
【００１８】
さらに、上下枠５，１０間の前後左右のコーナー部に取り付けられた前側左右支柱１１，１２および後側左右支柱１３，１４は、図１、図３、図６の（ｃ）および（ｄ）に示すように、断面略扇形に形成され、図３および図６の（ｄ）に示すように、各支柱１１〜１４の上下端部には、前述の上下枠５，１０に貫設したビス挿通孔２６，２８と一致する位置にビス孔３０が形成されている。
【００１９】
また、各支柱１１〜１４には、図２および図６の（ｃ）、（ｄ）に示すように、後述の面板を上下にスライド可能に挿通させるための挿通溝２１ａ〜２１ｈが形成され、且つ図６の（ａ）および（ｂ）また（ｃ）に示すように、支柱の長手方向適当間隔に、ピン取り付け孔３１が形成され、これに、図２、図３に示すように棚板受けピン３２を放射方向に差し込んで、各支柱１１〜１４から放射方向に突出する棚板受けピン３２上に棚板２０が載置支持されるようになっている。
【００２０】
また、図２、特に図６の（ｄ）に示すように、各支柱１１〜１４の下端部で下枠１０を取り付ける部分には切り込み２５ａ〜２５ｄが形成され、下枠１０の係合鍔２７ａが係合するようになっている。
【００２１】
そして、上枠５、下枠１０、前側左右支柱１１，１２および後側左右支柱１３，１４の組み立て順序を説明すると、下枠１０の前後左右のコーナー部に前側左右支柱１１，１２および後側左右支柱１３，１４を立設し、この際、図２、特に図９に示すように、下枠１０の係合鍔２７ａを各支柱１１〜１４の切り込み２５に係合させ、この状態でビス２４を下枠１０の各ビス挿通孔２８から各支柱１１〜１４のビス孔３０にねじ込んで、下枠１０と各支柱１１〜１４を組み立て、次に、図１０に示すように、上枠５の前後左右のコーナー部に前側左右支柱１１，１２および後側左右支柱１３，１４の上端部を当てつけ、この状態でビス２４を上枠５の各ビス挿通孔２６から各支柱１１〜１４のビス孔３０にねじ込んで、上枠５と各支柱１１〜１４とを組み立てる。
【００２２】
このようにして組み立てられた骨組において、図１、図２、図３に示すように、前側左右支柱１１，１２の互いに対向面に形成されている挿通溝２１ａ，２１ｂに、アクリル樹脂等の透明樹脂からなる前面板１５を上方から挿入し、また、前側左右支柱１１，１２と後側左右支柱１３，１４との互いの対向面に形成される挿通溝２１ｃ〜２１ｆに、同じくアクリル樹脂等の透明樹脂からなる左右側面板１６，１７を上方から挿入し、前面板１５および左右側面板１６，１７の下端部は、下枠１０の凹部２９に落とし込んで、該凹部２９に規制されて各面板１５〜１７が前後に動揺しないようになっている。このように前面板１５、左右側面板１６，１７および後述の棚板２０を透明樹脂板を用いることにより重量軽減と破損の発生を防止するようになっている。
【００２３】
また、後側左右支柱１３，１４の互いに対向する対向面に形成される挿通溝２１ｇ、２１ｈに、アルミ板等のケース内部側に面して鏡面１８ａに形成された後面板１８が挿入され、その下端部は同じく下枠１０の凹部２９に落とし込まれる。
【００２４】
そして、上枠５に天蓋１９を落とし込み状に載置されるのであるが、この天蓋１９は、図２、特に図７に示すように、内側に天面板３３を挿入するための挿入溝３４と下面に位置決め用の突部３５を形成したアルミニウムまたはアルミニウム合金製の型材からなる縁材３６を強度を上げるために溶接やアルミロー付けによって四周枠状に枠組固定し、且つ左右何れかの縁材３６ａに面板３３を挿通させるための貫通孔３７を形成し、これからアクリル樹脂等の透明樹脂からなる面板３３を貫通孔３７から挿入溝３４に挿入して天蓋１９を形成してなるものである。
【００２５】
そして、この天蓋１９は、図２に示すように、上枠５の前側枠片１と左右側枠片２，３と背側枠片４の起立壁２２ａに囲繞され、且つ水平壁２２ｂ上に載置されるようにして上枠５に着脱可能に取り付けられるようになっている。したがって、天蓋１９を上枠５に落とし込み状に載置することによって、天蓋１９の周囲は起立壁２２ａに囲繞されており、且つ天蓋１９自身に何ら把手等が付いていないため、天蓋１９を持って、上枠５から上方に脱出させることができないようになっている。
【００２６】
なお、各支柱１１〜１４から放射方向に突出する棚板受けピン３２上に、図示のように多段状に載置される棚板２０は、図８に示すように、コレクションの重量に耐えるようガラス板２０ａを用い、その周囲に接着材等で取り付けられる断面略コ字状のアルミニウムまたはアルミニウム合金製の製縁材２０ｂによって補強し、全体として棚板２０の強度を上げた構造となっている。なお、底板は最下部の棚板２０が兼ねるようになっている。
【００２７】
このように、天蓋１９自身に何ら把手等が付いていないため、天蓋１９を持って、上枠５から上方に脱出させることができないようになっているため、天蓋１９を上枠５から脱出させるためには、図１１に示すように、上枠５の水平壁２２ｂとに設けた貫通孔２３に水平壁２２ｂの裏面側からコレクターがピン３８のようなものを差込み、その先端部を天蓋１９に当てつけ、該ピン３８を上方に押し上げるようにすることによって、図示のように天蓋１９を上枠５から上方に脱出させることができ、この状態で天蓋１９を持って天蓋１９から外し、これによって前面板１５や左右側面板１６，１７は天蓋１９に遮られることがないから、図１２に示すように、例えば前面板１５を前側左右支柱１１，１２の挿通溝２１ａ，２１ｂに沿って上方に脱出させることによってコレクションケースの前面側が開放され、これよりケース内のコレクションを自由に出し入れすることできる。
【００２８】
したがって、ケース内に多段状に設けられた棚板２０にコレクターが蒐集したコレクションを載置した状態では、その周囲は、透明樹脂製の前面板１５と左右側面板１６，１７とに囲繞され、従来のようにコレクションケースを施錠するための錠前がなく、且つコーナー部の支柱を除いて視界を遮るところがないから、見栄えがよく、コレクターの満足感を満たすことができ、かつ前面および左右面がそれぞれ一枚の面板によって覆われているから、従来の引き違い式のようにホコリがケース内への侵入することもなく、さらには、コレクションケースの施錠装置に相当する上枠５の貫通孔２３が外部から見えないため、前面板１５や左右側面板１６，１７を取り外されることがなく、蒐集した愛蔵品（コレクション）を他人の手に触れさせないようにすることができる。
【００２９】
また、コレクションケースの後面板１８は鏡面１８ａに形成されているため、ケース内のコレクションを引き立てることにもなる。
【００３０】
さらにまた、上枠５および下枠１０はその各枠体の周囲がアルミ溶接あるいはアルミロー付けによって一体形成されているから強度上も優れている。
【００３１】
さらには、上下枠５、１０と各支柱１１〜１４とはビス２４によって分解可能に組み立てられ、且つ前後左右面の面板１５〜１８は、各支柱１１〜１４に形成した挿通溝２１ａ〜２１ｈに沿って取り外し出来るようになっているため、分解組み立てが容易であり、しかもビス２４をねじ込んで組み立て状態では、特にコレクションケースの重量の負荷する各支柱１１〜１４と下枠１０とは、下枠１０に設けた係合鍔２７ａが各支柱１１〜１４に設けた切り込み２５に係合することによって、両者の連結強度を上げて堅固な組み立て状態を維持することができる。
【図面の簡単な説明】
【００３２】
【図１】本発明の一実施の形態のコレクションケースの斜視図である。
【図２】図１のＡーＡ線断面図である。
【図３】図１のＢーＢ線断面図である。
【図４】コレクションケースを形成する上枠を示し、（ａ）は平面図、（ｂ）は（ａ）のＣーＣ線断面図、（ｃ）は側面図である。
【図５】コレクションケースを形成する下枠を示し、（ａ）は平面図、（ｂ）は（ａ）のＤーＤ線断面図、（ｃ）は側面図である。
【図６】コレクションケースを形成する前後左右の支柱を示し、（ａ）は正面図、（ｂ）は側面図、（ｃ）は（ｂ）のＥーＥ線断面図、（ｄ）は（ｂ）のＦーＦ線断面図である。
【図７】コレクションケースを形成する天板を示し、（ａ）は平面図、（ｂ）は（ａ）のＧーＧ線断面図、（ｃ）は側面図である。
【図８】コレクションケースを形成する棚板を示し、（ａ）は平面図、（ｂ）は（ａ）のＨーＨ線断面図、（ｃ）は側面図である。
【図９】図２のＩ部分の分解斜視図である。
【図１０】図２のＪ部分の分解斜視図である。
【図１１】天板の取り外し状態を示す説明図である。
【図１２】前面板の取り外し状態を示す説明図である。
【符号の説明】
【００３３】
１      前側枠片
２      左側枠片
３      右側枠片
４      後側枠片
５      上枠
６      前側枠片
７      左側側枠片
８      右側側枠片
９      後側枠片
１０    下枠
１１    前側左支柱
１２    前側右支柱
１３    後側左支柱
１４    後側右支柱
１５    前面板
１６    左側側面板
１７    右側側面板
１８    後面板
１８ａ  鏡面
１９    天板
２０    棚板
２１ａ  挿通溝
２１ｂ  挿通溝
２１ｃ  挿通溝
２１ｄ  挿通溝
２１ｅ  挿通溝
２１ｆ  挿通溝
２１ｇ  挿通溝
２１ｈ  挿通溝
２２ａ  起立壁
２２ｂ  水平壁
２３    貫通孔
２４    ビス
２５    切り込み
２７ａ  係合鍔
【図１】
2005110855.tif 000003
【図２】
2005110855.tif 000004
【図３】
2005110855.tif 000005
【図４】
2005110855.tif 000006
【図５】
2005110855.tif 000007
【図６】
2005110855.tif 000008
【図７】
2005110855.tif 000009
【図８】
2005110855.tif 000010
【図９】
2005110855.tif 000011
【図１０】
2005110855.tif 000012
【図１１】
2005110855.tif 000013
【図１２】
2005110855.tif 000014